(57)【要約】【課題】外形形状が異なるコードレス診療用インスツルメントを保持し充電することができる診療用インスツルメントホルダ及び診療用ユニットを提供する。【解決手段】診療用インスツルメントホルダ１２８は、ホルダ本体１３０とアダプタ１３２とを備える。ホルダ本体１３０には、収容孔１３４が形成される。収容孔１３４の内底面１３６には、充電位置に保持されたコードレス診療用インスツルメントを充電する電力を供給する供給経路となる充電端子１３８が設けられる。アダプタ１３２には、コードレス診療用インスツルメントを収容する収容孔１４４が形成される。収容孔１４４は、コードレス診療用インスツルメントの外形形状に適合する孔形状を有する。アダプタ１３２は、コードレス診療用インスツルメントを充電位置に保持する。アダプタ１３２は、ホルダ本体１３０の収容孔１３４の空間形状に適合する外形形状を有し、収容孔１３４に収容される。【選択図】図１
2010200999.tif 000002
【特許請求の範囲】
【請求項１】
診療用ユニットに備えられ、充電された電力により動作するコードレス診療用インスツルメントを保持する診療用インスツルメントホルダであって、
第１の収容空間が形成され、充電位置に保持された前記コードレス診療用インスツルメントを充電する電力を供給する給電機構を備える収容空間形成体と、
前記コードレス診療用インスツルメントの外形形状に適合する空間形状を有し前記コードレス診療用インスツルメントを収容する第２の収容空間が形成され、前記コードレス診療用インスツルメントを充電位置に保持し、前記第１の収容空間に適合する外形形状を有し前記第１の収容空間に収容されるアダプタと、
を備える診療用インスツルメントホルダ。
【請求項２】
前記第１の収容空間は、前記診療用ユニットの本体とチューブで接続されるチューブ接続診療用インスツルメントを収容する請求項１の診療用インスツルメントホルダ。
【請求項３】
前記収容空間形成体に対して前記アダプタが着脱自在である請求項１又は請求項２の診療用インスツルメントホルダ。
【請求項４】
前記第２の収容空間は、前記コードレス診療用インスツルメントの複数の外形形状に適合する空間形状を有し、前記アダプタは、前記コードレス診療用インスツルメントの外形形状ごとに決まった充電位置に前記コードレス診療用インスツルメントを保持する請求項１ないし請求項３のいずれかの診療用インスツルメントホルダ。
【請求項５】
前記アダプタは、前記コードレス診療用インスツルメントの複数の外形形状の各々に適合する空間形状を有する前記第２の収容空間が形成された複数の部材を入れ子状に重ね合わせた重ね合わせ体であり、前記重ね合わせ体における前記複数の部材の重ね合わせが解消自在である請求項１ないし請求項３のいずれかの診療用インスツルメントホルダ。
【請求項６】
前記収容空間形成体は、
充電条件の決定の基礎となる前記第２の収容空間に収容された前記コードレス診療用インスツルメントの種類を識別する識別機構、
を備える請求項１ないし請求項５のいずれかの診療用インスツルメントホルダ。
【請求項７】
前記識別機構は、前記アダプタの種類を識別することにより前記コードレス診療用アダプタの種類を識別する請求項６の診療用インスツルメントホルダ。
【請求項８】
請求項１ないし請求項７のいずれかの診療用インスツルメントホルダと、
前記給電機構に電力を供給する電源と、
前記第２の収容空間に収容され、充電された電力により動作するコードレス診療用インスツルメントと、
を備える診療用ユニット。
【請求項９】
複数個の前記診療用インスツルメントホルダに保持された複数個の前記コードレス診療用インスツルメントから充電の対象を選択する選択回路、
をさらに備える請求項８の診療用ユニット。
【請求項１０】
前記コードレス診療用インスツルメントの充電残量を検出する充電残量検出回路、
をさらに備え、
前記選択回路は、前記充電残量検出回路により検出された充電残量が最も少ない前記コードレス診療用インスツルメントを充電の対象とする請求項９の診療用ユニット。
【請求項１１】
前記コードレス診療用インスツルメントの充電の完了を検出する充電完了検出回路と、
前記充電完了検出回路による充電の完了の検出に同期して充電の完了を報知する報知機構と、
をさらに備える請求項８ないし請求項１０のいずれかの診療用ユニット。
【請求項１２】
前記コードレス診療用インスツルメントの充電の完了までの残り時間を検出する残り時間検出回路と、
前記残り時間検出回路が検出した残り時間を表示する表示機構と、
をさらに備える請求項８ないし請求項１１のいずれかの診療用ユニット。
【請求項１３】
昇降及び傾動して被術者を仰臥位で着座させる診療台と、
診療用トレーと、
を備え、
前記診療用インスツルメントホルダが、前記診療台の背もたれ、前記診療台の頭部支え及び前記診療用トレーの少なくともいずれかに設けられる請求項８ないし請求項１２のいずれかの診療用ユニット。
【請求項１４】
診療用ユニットに備えられ、充電された電力により動作するコードレス診療用インスツルメントを保持する診療用インスツルメントホルダであって、
前記診療用ユニットの本体とチューブで接続されるチューブ接続診療用インスツルメントを収容する第１の収容空間が形成された収容空間形成体と、
前記コードレス診療用インスツルメントの外形形状に適合する空間形状を有し前記コードレス診療用インスツルメントを収容する第２の収容空間が形成され、前記コードレス診療用インスツルメントを充電位置に保持し、前記診療用ユニットの本体に着脱される給電用チューブを経由して前記診療用ユニットの本体から電力の供給を受け充電位置に保持された前記コードレス診療用インスツルメントを充電する電力を供給する給電機構を備え、前記第１の収容空間に適合する外形形状を有し前記第１の収容空間に収容されるアダプタと、
を備える診療用インスツルメントホルダ。
【請求項１５】
第１の収容空間が形成された収容空間形成体に充電された電力により動作するコードレス診療用インスツルメントを保持させるためのアダプタであって、
前記コードレス診療用インスツルメントの外形形状に適合する空間形状を有し前記コードレス診療用インスツルメントを収容する第２の収容空間が形成され、前記コードレス診療用インスツルメントを充電位置に保持し、前記第１の収容空間に適合する外形形状を有し前記第１の収容空間に収容されるアダプタ。
【発明の詳細な説明】
【技術分野】
【０００１】
本発明は、診療用インスツルメントホルダ、診療用ユニット及びアダプタに関する。
【背景技術】
【０００２】
医科又は歯科の診療に用いる診療用ユニットは、必要な診療用インスツルメントを診療用ユニットの本体とチューブで接続し、診療用ユニットの本体とチューブで接続された診療用インスツルメント（以下では、「チューブ接続診療用インスツルメント」という）を診療用インスツルメントホルダに保持するように構成されたものが多い。また、特許文献１は、診療用ユニットの本体とチューブで接続されない診療用インスツルメント（以下では、「コードレス診療用インスツルメント」という）を保持する専用の診療用インスツルメントホルダを診療用ユニットに設けることを提案している。
【０００３】
特許文献２は、本願発明と関連する文献公知発明が記載された先行技術文献であり、診療用インスツルメントホルダに保持させるチューブ接続診療用インスツルメントにあわせてスペーサを交換することが記載されている。
【先行技術文献】
【特許文献】
【０００４】
【特許文献１】特開平１１−２２６０５３号公報
【特許文献２】特開２００８−１７８５０４号公報
【発明の概要】
【発明が解決しようとする課題】
【０００５】
しかし、特許文献１の技術では、外形形状が異なるコードレス診療用インスツルメントを診療用インスツルメントホルダに保持させることができないという問題を生じる。又は、コードレス診療用インスツルメントの外形形状ごとに専用の診療用インスツルメントホルダを設ける必要を生じ、診療用ユニットの外部及び内部の構造が複雑になるという問題を生じる。また、特許文献２の技術では、インスツルメントホルダに保持されるのは従来どおりのチューブ接続診療用インスツルメントに限られ、コードレス診療用インスツルメントを保持したり、さらにはそれらコードレス診療用インスツルメントに設けた充電地に充電を行ったりすることはできない。
【０００６】
本発明は、この問題を解決するためになされたもので、外形形状が異なるコードレス診療用インスツルメントを保持し充電することができる診療用インスツルメントホルダ及び診療用ユニットを提供することを目的とする。
【課題を解決するための手段】
【０００７】
上記課題を解決するため、請求項１の発明は、診療用ユニットに備えられ、充電された電力により動作するコードレス診療用インスツルメントを保持する診療用インスツルメントホルダであって、第１の収容空間が形成され、充電位置に保持された前記コードレス診療用インスツルメントを充電する電力を供給する給電機構を備える収容空間形成体と、前記コードレス診療用インスツルメントの外形形状に適合する空間形状を有し前記コードレス診療用インスツルメントを収容する第２の収容空間が形成され、前記コードレス診療用インスツルメントを充電位置に保持し、前記第１の収容空間に適合する外形形状を有し前記第１の収容空間に収容されるアダプタと、を備える。
【０００８】
請求項２の発明は、請求項１の診療用インスツルメントホルダにおいて、前記第１の収容空間は、前記診療用ユニットの本体とチューブで接続されるチューブ接続診療用インスツルメントを収容する。
【０００９】
請求項３の発明は、請求項１又は請求項２の診療用インスツルメントホルダにおいて、前記収容空間形成体に対して前記アダプタが着脱自在である。
【００１０】
請求項４の発明は、前記第２の収容空間は、請求項１ないし請求項３のいずれかの診療用インスツルメントホルダにおいて、前記コードレス診療用インスツルメントの複数の外形形状に適合する空間形状を有し、前記アダプタは、前記コードレス診療用インスツルメントの外形形状ごとに決まった充電位置に前記コードレス診療用インスツルメントを保持する。
【００１１】
請求項５の発明は、請求項１ないし請求項３のいずれかの診療用インスツルメントホルダにおいて、前記アダプタは、前記コードレス診療用インスツルメントの複数の外形形状の各々に適合する空間形状を有する前記第２の収容空間が形成された複数の部材を入れ子状に重ね合わせた重ね合わせ体であり、前記重ね合わせ体における前記複数の部材の重ね合わせが解消自在である。
【００１２】
請求項６の発明は、請求項１ないし請求項５のいずれかの診療用インスツルメントホルダにおいて、前記収容空間形成体は、充電条件の決定の基礎となる前記第２の収容空間に収容された前記コードレス診療用インスツルメントの種類を識別する識別機構、を備える。
【００１３】
請求項７の発明は、請求項６の診療用インスツルメントホルダにおいて、前記識別機構は、前記アダプタの種類を識別することにより前記コードレス診療用アダプタの種類を識別する。
【００１４】
請求項８の発明は、診療用ユニットであって、請求項１ないし請求項７のいずれかの診療用インスツルメントホルダと、前記給電機構に電力を供給する電源と、前記第２の収容空間に収容され、充電された電力により動作するコードレス診療用インスツルメントと、を備える。
【００１５】
請求項９の発明は、請求項８の診療用ユニットにおいて、複数個の前記診療用インスツルメントホルダに保持された複数個の前記コードレス診療用インスツルメントから充電の対象を選択する選択回路、をさらに備える。
【００１６】
請求項１０の発明は、請求項９の診療用ユニットにおいて、前記コードレス診療用インスツルメントの充電残量を検出する充電残量検出回路、をさらに備え、前記選択回路は、前記充電残量検出回路により検出された充電残量が最も少ない前記コードレス診療用インスツルメントを充電の対象とする。
【００１７】
請求項１１の発明は、請求項８ないし請求項１０のいずれかの診療用ユニットにおいて、前記コードレス診療用インスツルメントの充電の完了を検出する充電完了検出回路と、前記充電完了検出回路による充電の完了の検出に同期して充電の完了を報知する報知機構と、をさらに備える。
【００１８】
請求項１２の発明は、請求項８ないし請求項１１のいずれかの診療用ユニットにおいて、前記コードレス診療用インスツルメントの充電の完了までの残り時間を検出する残り時間検出回路と、前記残り時間検出回路が検出した残り時間を表示する表示機構と、をさらに備える。
【００１９】
請求項１３の発明は、請求項８ないし請求項１３のいずれかの診療用ユニットにおいて、昇降及び傾動して被術者を仰臥位で着座させる診療台と、診療用トレーと、を備え、前記診療用インスツルメントホルダが、前記診療台の背もたれ、前記診療台の頭部支え及び前記診療用トレーの少なくともいずれかに設けられる。
【００２０】
請求項１４の発明は、診療用ユニットに備えられ、充電された電力により動作するコードレス診療用インスツルメントを保持する診療用インスツルメントホルダであって、前記診療用ユニットの本体とチューブで接続されるチューブ接続診療用インスツルメントを収容する第１の収容空間が形成された収容空間形成体と、前記コードレス診療用インスツルメントの外形形状に適合する空間形状を有し前記コードレス診療用インスツルメントを収容する第２の収容空間が形成され、前記コードレス診療用インスツルメントを充電位置に保持し、前記診療用ユニットの本体に着脱される給電用チューブを経由して前記診療用ユニットの本体から電力の供給を受け充電位置に保持された前記コードレス診療用インスツルメントを充電する電力を供給する給電機構を備え、前記第１の収容空間に適合する外形形状を有し前記第１の収容空間に収容されるアダプタと、を備える。
【００２１】
請求項１５の発明は、第１の収容空間が形成された収容空間形成体に充電された電力により動作するコードレス診療用インスツルメントを保持させるためのアダプタであって、前記コードレス診療用インスツルメントの外形形状に適合する空間形状を有し前記コードレス診療用インスツルメントを収容する第２の収容空間が形成され、前記コードレス診療用インスツルメントを充電位置に保持し、前記第１の収容空間に適合する外形形状を有し前記第１の収容空間に収容される。
【発明の効果】
【００２２】
請求項１ないし請求項１５の発明によれば、外形形状が異なるコードレス診療用インスツルメントがひとつの診療用インスツルメントホルダに保持されるので、コードレス診療用インスツルメントに設けた充電池への充電が可能になる上、診療用ユニットの構造が簡素になる。
【００２３】
請求項２の発明によれば、コードレス診療用インスツルメント専用の診療用インスツルメントホルダを設けることなくコードレス診療用インスツルメントを保持し充電することができるので、診療用ユニットの構造が簡素になる。
【００２４】
請求項３の発明によれば、保持する診療用インスツルメントの種類の変更が容易になるので、診療用ユニットの利便性が向上する。
【００２５】
請求項４の発明によれば、アダプタを交換することなく外形形状が異なるコードレス診療用インスツルメントを保持させることができるので、診療用ユニットの利便性が向上する。
【００２６】
請求項５の発明によれば、複数の部材の重ね合わせを変更するだけで外形形状が異なるコードレス診療用インスツルメントを保持させることができるので、診療用ユニットの利便性が向上する。
【００２７】
請求項６の発明によれば、コードレス診療用インスツルメントの種類に適した充電条件でコードレス診療用インスツルメントが充電されるので、診療用ユニットの利便性が向上する。
【００２８】
請求項７の発明によれば、コードレス診療用インスツルメントに、自身の充電に係る情報を保有したり外部へ送信したりする機構を設ける必要がなくなるため、コードレス診療用インスツルメントが小型化及び簡素化する。
【００２９】
請求項９の発明によれば、充電の必要性が高いコードレス診療用インスツルメントが優先的に充電されるため、使用者の便宜や診療状況に応じた充電が可能となる。
【００３０】
請求項１０の発明によれば、充電残量が最も少ないコードレス診療用インスツルメントが優先的に充電されるため、充電不足に起因する診療の停滞が回避される。
【００３１】
請求項１１の発明によれば、コードレス診療用インスツルメントの充電の完了が容易に認識されるので、診療用ユニットの利便性が向上する。
【００３２】
請求項１２の発明によれば、充電の完了までの残り時間を容易に知ることができるので、診療用ユニットの利便性が向上する。
【００３３】
請求項１３の発明によれば、診療用ユニットの各部でコードレス診療用インスツルメントが充電され、診療用ユニットの利便性が向上する。
【００３４】
請求項１４の発明によれば、コードレス診療用インスツルメントを充電するための機構が、チューブ接続診療用インスツルメントのチューブと置き換えられる給電用チューブとなり、従来の診療用ユニットに容易に装着しうるため、診療用ユニットの機能の拡張に資する。
【００３５】
請求項１５の発明によれば、インスツルメントホルダに充電機能を追加するアダプタが得られるため、インスツルメントホルダ並びに診療用ユニットの機能の拡張に資する。
【図面の簡単な説明】
【００３６】
【図１】第１実施形態の診療用ユニットの斜視図である。
【図２】トレーの斜視図である。
【図３】ホルダ本体にアダプタを取り付けた状態を示す斜視図である。
【図４】ホルダ本体からアダプタを取り外した状態を示す斜視図である。
【図５】診療用ユニットの内部のブロック図である。
【図６】第２実施形態のアダプタ及び当該アダプタの収容孔に収容されるコードレス診療用インスツルメントの斜視図である。
【図７】第３実施形態のアダプタの斜視図である。
【図８】第４実施形態の診療用インスツルメントホルダの斜視図である。
【図９】第５実施形態のホルダ本体の斜視図である。
【図１０】残り時間表示機能を付加するために追加される構成物のブロック図である。
【発明を実施するための形態】
【００３７】
＜第１実施形態＞
｛診療用ユニット１０２の概略｝
図１は、第１実施形態の診療用ユニット１０２の模式図である。図１は、診療用ユニット１０２の斜視図となっている。
【００３８】
診療用ユニット１０２は、チェア１０８を備え歯科の診療に用いられる歯科用チェアユニットである。ただし、このことは、歯科用チェアユニット以外の診療用ユニット、例えば、耳鼻咽喉科等の他の診療科の診療に用いられる診療用ユニットやチェア１０８を備えない診療用ユニットに本発明を適用することを妨げない。診療用ユニット１０２は、床面に据え付けられた診療用ユニット１０２の本体（以下では、「ユニット本体」という）１０４の診療用インスツルメントホルダ１２８（図１には不図示、図２に図示）に必要な診療用インスツルメント１０６を保持させた状態で用いられる。
【００３９】
図１に示すように、ユニット本体１０４は、昇降及び傾動して被術者を仰臥位で着座させる診療台であるチェア１０８と、載置場所を提供する診療用トレー１１０と、診療用トレー１１０を保持するトレーアーム１１２と、被術者の口腔内を照明するデンタルライト１１４と、デンタルライト１１４を保持するライトポール１１６と、うがい水を供給し被術者が吐き出したうがい水を回収するベースンユニット１１８と診療用インスツルメント１０６のうちユニット本体１０４とチューブで接続されるもの（以下では、「チューブ接続診療用インスツルメント」という）が接続される本体側接続部１２０とを備える。なお、これらの構成物の一部をユニット本体１０４から省略してもよいし、これらの構成物以外の構成物をユニット本体１０４に追加してもよい。
【００４０】
｛診療用トレー１１０｝
図２は、診療用トレー１１０の模式図である。図２は、診療用トレー１１０の斜視図となっている。
【００４１】
図２に示すように、診療用トレー１１０は、載置場所を提供するトレーテーブル１２４と、診療用インスツルメントホルダ１２８を固定するステー１２６と、診療用インスツルメント１０６を保持する診療用インスツルメントホルダ１２８とを備える。図２は、６個の診療用インスツルメントホルダ１２８が診療用トレー１１０に設けられる場合を示しているが、診療用インスツルメントホルダ１２８の数を増減しても良いし、診療用インスツルメントホルダ１２８を設ける場所を変更してもよい。例えば、診療用インスツルメントホルダ１２８を、診療用トレー１１０に代えて、又は、診療用トレー１１０に加えて、チェア１０８の背もたれ１８０及び頭部支え１８２（図１に図示）の両方又は片方に設けてもよい。
【００４２】
｛診療用インスツルメントホルダ１２８｝
図３及び図４は、診療用インスツルメントホルダ１２８の模式図である。図３及び図４は、診療用インスツルメントホルダ１２８の斜視図となっている。図３は、診療用インスツルメントホルダ１２８の本体（以下では、「ホルダ本体」という）１３０にアダプタ１３２を取り付けた状態を示し、図４は、ホルダ本体１３０からアダプタ１３２を取り外した状態を示している。
【００４３】
診療用インスツルメントホルダ１２８は、チューブ接続診療用インスツルメントを保持するホルダ本体１３０と、診療用インスツルメント１０６のうちユニット本体１０４とチューブで接続されず充電された電力により動作するもの（以下では、「コードレス診療用インスツルメント」という）をホルダ本体１３０に保持させるためのアダプタ１３２とを備える。診療用インスツルメントホルダ１２８は、チューブ接続診療用インスツルメント及びコードレス診療用インスツルメントのホルダを兼ねる。診療用インスツルメントホルダ１２８は、ホルダ本体１３０にアダプタ１３２を取り付けた状態においては、コードレス診療用インスツルメントを保持し、ホルダ本体１３０からアダプタ１３２を取り外した状態においては、チューブ接続診療用インスツルメントを保持する。これにより、コードレス診療用インスツルメント専用の診療用インスツルメントホルダを設けることなくコードレス診療用インスツルメントを保持し充電することができるので、診療用ユニット１０２が簡素になる。なお、全部の診療用インスツルメントホルダ１２８がチューブ接続診療用インスツルメント及びコードレス診療用インスツルメントのホルダを兼ねることは必須ではなく、一部の診療用インスツルメントホルダ１２８がチューブ接続診療用インスツルメント及びコードレス診療用インスツルメントのホルダを兼ねるだけであってもよい。
【００４４】
｛チューブ接続診療用インスツルメント｝
チューブ接続診療用インスツルメントは、主に、診療用インスツルメントのうち、エア流、水流等の流体流で駆動されるもの、内蔵の充電池では供給が困難な比較的大きな電力で駆動されるもの等である。チューブ接続診療用インスツルメントには、例えば、エア流の供給を受けて切削工具を回転させるエアタービンハンドピース及びエアモータハンドピース、エア流の供給を受けてスケーラチップを振動させるエアスケーラ、電力の供給を受けて切削工具を回転させる電気モータハンドピースのうち駆動に必要な電力が比較的大きなもの、電力の供給を受けてスケーラチップを振動させる超音波スケーラのうち駆動に必要な電力が比較的大きなもの、エア流及び水流の供給を受けてエア及び水の両方又は片方を噴射するスリーウェイシリンジ等がある。
【００４５】
｛コードレス診療用インスツルメント｝
コードレス診療用インスツルメントは、主に、診療用インスツルメントのうち、内蔵の充電池でも供給が容易な比較的小さな電力で駆動されるもの等である。コードレス診療用インスツルメントには、例えば、電力の供給を受けて光重合レジンを重合させる光を照射する光重合照射器、電力の供給を受けて口腔内を撮像する口腔内カメラ、電力の供給を受けて切削工具を回転させる電気モータハンドピースのうち駆動に必要な電力が比較的小さなもの、電力の供給を受けてスケーラチップを振動させる超音波スケーラのうち駆動に必要な電力が比較的小さなもの、根管に充填される充填材を加熱及び／又は押圧する根管充填器等がある。なお、ここで例示した診療用インスツルメント以外の診療用インスツルメントがコードレス診療用インスツルメントとなることもある。
【００４６】
｛ホルダ本体１３０｝
図４に示すように、ホルダ本体１３０は、チューブ接続診療用インスツルメントを収容する空間となる収容孔１３４が形成された収容空間形成体である。収容孔１３４の内底面１３６には、充電位置に保持されたコードレス診療用インスツルメントを充電する電力（以下では、「充電電力」という）を供給する供給経路となる充電端子１３８が設けられる。なお、収容孔１３４の内底面１３６以外、例えば、収容孔１３４の内側面１４０に充電端子１３８を設けてもよい。充電端子１３８を備える有接点の給電機構１５８（図４には不図示、図５に図示）ではなく、無接点の給電機構を採用してもよい。無接点の給電機構を採用する場合、コイル等の電磁結合用の部品がホルダ本体１３０に埋め込まれる。
【００４７】
ホルダ本体１３０には、ホルダ本体１３０をステー１２６に固定するネジが螺合されるネジ孔１４２が形成される。
【００４８】
｛アダプタ１３２｝
アダプタ１３２には、コードレス診療用インスツルメントを収容する空間となる収容孔１４４が形成される。収容孔１４４は、コードレス診療用インスツルメントの外形形状に適合する孔形状（空間形状）を有する。これにより、アダプタ１３２は、コードレス診療用インスツルメントを充電位置に保持する。ここでいう「適合」は、コードレス診療用インスツルメントの外形形状と収容孔１４４の孔形状とが完全に同一であることを要求しない。したがって、コードレス診療用インスツルメントの外側面と収容孔１４４の内側面１４９との間には、コードレス診療用インスツルメントの挿抜を容易にするための隙間がある。この隙間は、収容孔１４４の中でコードレス診療用インスツルメントが動いてもコードレス診療用インスツルメントの充電が可能な充電位置に保持した状態が維持される程度の幅を有する。つまり、「充電位置」は、収容孔１４４の径方向に若干の広がりを有している。
【００４９】
ひとつの診療用インスツルメントホルダ１２８に外形形状が異なる複数のコードレス診療用インスツルメントを保持させる場合、コードレス診療用インスツルメントの外形形状ごとに収容孔１４４の孔形状が異なるアダプタ１３２が準備され、診療用インスツルメントホルダ１２８に保持させるコードレス診療用インスツルメントを変更するときにはアダプタ１３２が交換される。これにより、外形形状が異なるコードレス診療用インスツルメントがひとつの診療用インスツルメントホルダに保持されるので、診療用ユニット１０２の構造が簡素になる。
【００５０】
収容孔１４４の内底面１４６には、ホルダ本体１３０にアダプタ１３２を取り付けたときに充電端子１３８が挿通する貫通孔１４８が形成される。これにより、ホルダ本体１３０にアダプタ１３２を取り付けたときに、充電端子１３８が収容孔１４４の内底面１４６に露出し、収容孔１４４に収容されたコードレス診療用インスツルメントの底面に充電端子１３８が接触し、コードレス診療用インスツルメントが充電される。
【００５１】
アダプタ１３２は、ホルダ本体１３０の収容孔１３４の空間形状に適合する外形形状を有する。これにより、アダプタ１３２は、収容孔１３４に収容される。ホルダ本体１３０に対してアダプタ１３２を着脱自在にするため、アダプタ１３２の外側面１５０と収容孔１３４の内側面１４０とは、摺動可能になっている。ホルダ本体１３０に対してアダプタ１３２が着脱自在になれば、保持する診療用インスツルメントの種類の変更が容易になるので、診療用ユニット１０２の利便性が向上する。ただし、コードレス診療用インスツルメントを診療用インスツルメントホルダ１２８から抜いたときにホルダ本体１３０からアダプタ１３２が脱落することを防止するため、コードレス診療用インスツルメントを診療用インスツルメントホルダ１２８から抜くときに加わる力に抗する摩擦力が収容孔１３４の内側面１４０とアダプタ１３２の外側面１５０との間に生じるようにするか、アダプタ１３２を着脱するとき以外は係止爪等によりアダプタ１３２をホルダ本体１３０に係止することが望ましい。
【００５２】
｛診療用ユニット１０２の内部｝
図５は、診療用ユニット１０２の内部構成要素のブロック図である。
【００５３】
図５に示すように、コードレス診療用インスツルメント１５２には、コードレス診療用インスツルメント１５２を動作させる電力を供給する充電池１５４が内蔵される。
【００５４】
アダプタ１３２には、コードレス診療用インスツルメント１５２の種類を識別する情報源となる電気抵抗１５６が設けられる。
【００５５】
ホルダ本体１３０には、コードレス診療用インスツルメント１５２を充電する電力を供給する給電機構１５８と、アダプタ１３２の収容孔１４４に収容されたコードレス診療用インスツルメント１５２の種類を識別する識別回路１６０とが設けられる。
【００５６】
ユニット本体１０４には、給電機構１５８に充電電力を供給する電源１６２と、コードレス診療用インスツルメント１５２の充電を制御する充電制御回路１６４とが設けられる。
【００５７】
充電制御回路１６４は、識別回路１６０によるコードレス診療用インスツルメント１５２の種類の識別結果に基づいて、コードレス診療用インスツルメント１５２に内蔵された充電池１５４の充電条件、例えば、充電電圧、充電電流、充電時間及び充電方式の全部又は一部を決定し、決定した充電条件で充電が行われるように電源１６２から充電池１５４への充電電力の供給を制御する。これにより、充電条件を手動で設定しなくても、コードレス診療用インスツルメント１５２の種類に適した充電条件でコードレス診療用インスツルメント１５２が充電されるので、診療用ユニット１０２の利便性が向上する。ここでいう「充電方式」の決定とは、例えば、充電池１５４がリチウムイオン電池であれば、定電流充電から定電圧充電へ切り替える第１の充電方式を採用し、充電池１５４がニッケル水素電池であれば、急速充電からトリクル充電へ切り替える第２の充電方式を採用するといった、充電電圧又は充電電流の切り替えの方式の決定を意味する。
【００５８】
｛充電の対象の選択｝
図５に示すように、複数個の診療用インスツルメントホルダ１２８に保持された複数個のコードレス診療用インスツルメント１５２から充電の対象を選択する選択回路１７０をユニット本体１０４に設けることも望ましい。これにより、充電の必要性が高いコードレス診療用インスツルメント１５２が優先的に充電される。
【００５９】
充電の対象は、コードレス診療用インスツルメント１５２の充電残量を検出する充電残量検出回路１７２をユニット本体１０４に設け、充電残量検出回路１７２により検出された充電残量が最も少ないコードレス診療用インスツルメント１５２とすることが望ましい。また例えば、コードレス診療用インスツルメント１５２内に充電残量検出回路（不図示）を設け、電流値と時間の積から消費電力を割り出し、電池の充電残量を検出し、ユニット本体１０４へ通信によって知らせるようにしてもよい。これにより、充電残量が最も少ないコードレス診療用インスツルメント１５２が優先的に充電される。
【００６０】
｛充電の完了の報知｝
図５に示すように、充電の完了を報知する報知機構１７４と、コードレス診療用インスツルメント１５２の充電の完了を検出し、充電の完了の検出に同期して報知機構１７４を動作させる充電完了検出回路１７６をユニット本体１０４に設けることも望ましい。報知機構１７４は、発光ダイオード等のランプの点灯状態の変化、液晶ディスプレイ、有機ＥＬディスプレイ等の表示機構の表示状態の変化等により充電が完了したことを術者の視覚に訴える。又は、報知機構１７４は、ブザーを鳴らしたり、スピーカからメッセージを流したりして、充電が完了したことを術者の聴覚に訴える。これにより、コードレス診療用インスツルメント１５２の充電の完了が容易に認識されるので、診療用ユニット１０２の利便性が向上する。
【００６１】
報知機構１７４は、トレーテーブル１２４の一角やトレーテーブル上に設けられたディスプレイ（不図示）などユニット本体１０４のどこに設けてもよいが、診療用インスツルメントホルダ１２８又はその近傍に設けると、コードレス診療用インスツルメント１５２と報知機構１７４とが同一視野内に入り易い等の理由により、これから使用するコードレス診療用インスツルメントの充電が完了しているか否かを認識しやすくなる。
【００６２】
｛コードレス診療用インスツルメント１５２の識別｝
図５に示す診療用ユニット１０２では、アダプタ１３２に固有の抵抗値を有する、すなわち、アダプタ１３２ごとに抵抗値が異なる電気抵抗１５６をアダプタ１３２に設け、識別回路１６０により電気抵抗１５６の抵抗値を読み取り、電気抵抗１５６の抵抗値からアダプタ１３２の種類を識別し、その結果として、コードレス診療用インスツルメント１５２の種類を識別する。
【００６３】
電気抵抗１５６の抵抗値からのアダプタ１３２の種類の識別は、どのように行ってもよいが、例えば、電気抵抗１５６に一定の電流を流し、電気抵抗１５６の両端の電圧が閾値を超えるか否かをコンパレータで検出することにより行う。当該電圧をＡ／Ｄコンバータでデジタル値に変換し、組み込みコンピュータによりアダプタ１３２の種類を識別してもよい。
【００６４】
電気抵抗１５６の抵抗値からアダプタ１３２の種類を識別するのが、容易さの点から望ましいが、このことは、キャパシタのキャパシタンスやインダクタのインダクタンスからアダプタ１３２の種類を識別すること、より一般的には、素子のインピーダンスからアダプタ１３２の種類を識別することを妨げない。
【００６５】
なお、コードレス診療用インスツルメント１５２の種類を識別する情報源をコードレス診療用インスツルメント１５２に設けることも考えられるが、情報源をコードレス診療用インスツルメント１５２に設けた場合、コードレス診療用インスツルメント１５２とユニット本体１０４との間で通信を行うための仕組み等が必要になり、コードレス診療用インスツルメント１５２が大型化及び複雑化する。このため、情報源をアダプタ１３２に設けることは、コードレス診療用インスツルメント１５２の小型化及び簡素化に寄与し、コードレス診療用インスツルメント１５２の操作性の向上及び低価格化に寄与する。
【００６６】
アダプタ１３２の種類の識別は、他の方法で行ってもよい。例えば、アダプタ１３２の種類を識別する情報をデジタル信号として送信する送信回路をアダプタ１３２に設け、当該送信回路から送信されてきた情報に基づいてアダプタ１３２の種類を識別してもよい。又は、識別端子をアダプタ１３２に設け、識別端子の間の導通状態に基づいてアダプタ１３２の種類を識別してもよい。又は、識別符号を記憶保存し識別回路１６０に識別符号を読み取らせるＲＦＩＤ（Ｒａｄｉｏ  Ｆｒｅｑｕｅｎｃｙ  ＩＤｅｎｔｉｆｉｃａｔｉｏｎ：電波による識別）タグをアダプタ１３２に設け、電気接点を設けることなく非接触でアダプタ１３２の種類を識別してもよい。
【００６７】
電気的な機構によるアダプタ１３２の種類の識別も必須ではなく、電気的な機構と機械的な機構とが混在する識別機構による識別も許される。例えば、アダプタに識別爪を設け、識別爪の有無や位置等に基づいてアダプタ１３２の種類を識別してもよい。
【００６８】
＜第２実施形態＞
第２実施形態は、第１実施形態のアダプタ１３２に代えて採用することができるアダプタ２０２に関する。図６は、第２実施形態のアダプタ２０２及びアダプタ２０２の収容孔２０８に収容されるコードレス診療用インスツルメント２０４，２０６の模式図である。図６は、アダプタ２０２及びコードレス診療用インスツルメント２０４，２０６の斜視図となっている。
【００６９】
図６に示すように、アダプタ２０２にも、コードレス診療用インスツルメント２０４，２０６を収容する空間となる収容孔２０８が形成される。収容孔２０８の内底面２１０には、ホルダ本体１３０の給電機構１５８から充電位置に保持されたコードレス診療用インスツルメント２０４，２０６へ充電電力を中継する電力中継機構２１２が設けられる。
【００７０】
収容孔２０８は、コードレス診療用インスツルメント２０４，２０６の複数の外形形状に適合する孔形状を有する。すなわち、収容孔２０８の内底面２１０寄りの細孔部２１４は、被保持部が細径のコードレス診療用インスツルメント（以下では、「細径コードレス診療用インスツルメント」という）２０４の外径に適合させるために内径が細くなっており、収容孔２０８の開口２１１寄りの太孔部２１６は、被保持部が太径のコードレス診療用インスツルメント（以下では、「太径コードレス診療用インスツルメント」という）２０６の外径に適合させるために内径が太くなっている。これにより、アダプタ２０２は、コードレス診療用インスツルメント２０４，２０６の外形形状ごとに決まった充電位置にコードレス診療用インスツルメント２０４，２０６を保持する。すなわち、アダプタ２０２は、収容孔２０８の細孔部２１４に収容され収容孔２０８の内底面２１０の近くまで挿入された状態となる第１の充電位置に細径コードレス診療用インスツルメント２０４を保持し、収容孔２０８の太孔部２１６に収容され細孔部２１４と太孔部２１６との境界にある段差まで挿入された状態となる第２の充電位置に太径コードレス診療用インスツルメント２０６を保持する。
【００７１】
電力中継機構２１２は、充電電力の供給経路となる充電端子２１８と、充電端子２１８を保持する保持体２２０と、保持体２２０を開口へ向かって付勢するコイルバネ２２２とを備える。空気バネ等のコイルバネ以外の弾性部材によって保持体２２０を付勢してもよい。
【００７２】
充電端子２１８は、保持体２２０の開口２１１を向く面に設けられる。コイルバネ２２２の一端は保持体２２０の内底面２１０を向く面に接続され、他端は内底面２１０に接続される。コードレス診療用インスツルメント２０４，２０６が充電端子２１８に接触していない自然状態においては、太孔部２１６と細孔部２１４との境界よりも開口２１１寄りに充電端子２１８の先端が位置している。このため、太径コードレス診療用インスツルメント２０６が太孔部２１６に収容されると、太径コードレス診療用インスツルメント２０６の底面に充電端子２１８が接触してコイルバネ２２２が弱く圧縮され、太孔部２１６と細孔部２１４との境界に充電端子２１８の先端が位置する状態となる。細径コードレス診療用インスツルメント２０４が細孔部２１４に収容されると、細径コードレス診療用インスツルメント２０４の底面に充電端子２１８が接触してコイルバネ２２２が強く圧縮され、アダプタ２０２の内底面２１０の近傍に充電端子２１８の先端が位置する状態となる。
【００７３】
アダプタ２０２がホルダ本体１３０の収容孔１３４の空間形状に適合する外形形状を有すること、アダプタ２０２の外側面２２４と収容孔１３４の内側面１４０とは、摺動可能になっていること、コードレス診療用インスツルメント２０４，２０６を診療用インスツルメントホルダ１２８から抜くときに加わる力に抗する摩擦力がアダプタ２０２の外側面２２４と収容孔１３４の内側面１４０との間に生じるようにするか、アダプタ２０２を着脱するとき以外は係止爪等によりアダプタ２０２をホルダ本体１３０に係止することは、第１実施形態のアダプタ１３２と同様である。また、第１実施形態と同様、アダプタ２０２の内底面２１０に貫通孔を設け、電力中継機構２１２をアダプタ２０２の内底面２１０ではなく前記ホルダ本体１３０に設けることで、ホルダ本体１３０にアダプタ２０２を取り付けたときに、充電端子２１８が収容孔２０８内に露出するようにしてもよく、この場合、アダプタ２０２自体の構成をより簡素化することができる。
【００７４】
第２実施形態のアダプタ２０２により、アダプタ２０２を交換することなく外形形状が異なる太径コードレス診療用インスツルメント２０６及び細径コードレス診療用インスツルメント２０４を保持させることができるので、診療用ユニット１０２の利便性が向上する。
【００７５】
図６は、コードレス診療用インスツルメント２０４，２０６の２種類の外形形状に適合する孔形状を有する収容孔２０８が形成されたアダプタ２０２を示しているが、３種類以上の外形形状に適合する孔形状を有する収容孔を形成してもよい。
【００７６】
＜第３実施形態＞
第３実施形態は、第１実施形態のアダプタ１３２に代えて採用することができるアダプタ３０２に関する。図７は、第３実施形態のアダプタ３０２の模式図である。図７は、第３実施形態のアダプタ３０２の斜視図となっている。
【００７７】
図７に示すように、アダプタ３０２は、コードレス診療用インスツルメントの複数の外形形状の各々に適合する孔形状を有する収容孔３１０，３１２，３１４が形成された複数のアダプタ構成部材３０４，３０６，３０８を入れ子状に重ね合わせた重ね合わせ体である。すなわち、アダプタ構成部材３０４，３０６，３０８には、それぞれ、被保持部が細径、中径及び太径のコードレス診療用インスツルメントに適合する孔形状を有し被保持部が細径、中径及び太径のコードレス診療用インスツルメントが収容される収容孔３１０，３１２，３１４が形成される。
【００７８】
アダプタ３０２においては、アダプタ構成部材３０４，３０６，３０８の重ね合わせは解消自在である。アダプタ構成部材３０４，３０６，３０８の重ね合わせを解消自在にするため、最も外側のアダプタ構成部材３０８以外のアダプタ構成部材３０４，３０６は、それぞれ、そのひとつ外側のアダプタ構成部材３０６，３０８の収容孔３１２，３１４の内径に適合する外径を有する。アダプタ構成部材３０４，３０６の外側面３１１，３１３と、そのひとつ外側のアダプタ構成部材３０６，３０８の内側面３１８，３２０とは、摺動可能になっている。ただし、コードレス診療用インスツルメントを診療用インスツルメントホルダ１２８から抜いたときにアダプタ３０２からアダプタ構成部材３０４，３０６が脱落することを防止するため、コードレス診療用インスツルメントを診療用インスツルメントホルダ１２８から抜くときに加わる力に抗する摩擦力がアダプタ構成部材３０４，３０６の外側面３１１，３１３とそのひとつ外側のアダプタ構成部材３０６，３０８の内側面３１８，３２０との間に生じるようにするか、アダプタ構成部材の３０４，３０６，３０８の重ね合わせを解消するとき以外は、係止爪等によりアダプタ構成部材３０４，３０６，３０８を係止することが望ましい。
【００７９】
最も外側のアダプタ構成部材３０８の収容孔３１４の内底面３４０には、ホルダ本体１３０の給電機構１５８から充電位置に保持されたコードレス診療用インスツルメントへ充電電力を中継する電力中継機構３２４が設けられる。最も外側のアダプタ構成部材３０８以外のアダプタ構成部材３０４，３０６の収容孔３１０，３１２の内底面３３６，３３８には、アダプタ構成部材３０４，３０６，３０８を重ね合わせたときに充電端子３３０が挿通する貫通孔３２６，３２８が形成される。これにより、アダプタ構成部材３０８のみを用いるとき、アダプタ構成部材３０６，３０８を重ね合わせて用いるとき及びアダプタ構成部材３０４，３０６，３０８を重ね合わせて用いるときのいずれも、充電端子３３０が最も内側のアダプタ構成部材の内底面に露出し、最も内側のアダプタ構成部材の収容孔に収容されたコードレス診療用インスツルメントの底面に充電端子３３０が接触し、コードレス診療用インスツルメントが充電される。
【００８０】
電力中継機構３２４は、充電電力の供給経路となる充電端子３３０と、充電端子３３０を保持する保持体３３２と、保持体３３２を開口３１７へ向かって付勢するコイルバネ３３４とを備える。空気バネ等のコイルバネ３３４以外の弾性部材によって保持体３３２を付勢してもよい。
【００８１】
充電端子３３０は、保持体３３２の開口３１７を向く面に設けられる。コイルバネ３３４の一端は保持体３３２の内底面３４０に向く面に接続され、他端は最も外側のアダプタ構成部材３０８の内底面３４０に接続される。コードレス診療用インスツルメントが充電端子３３０に接触していない自然状態においては、全てのアダプタ構成部材３０４，３０６，３０８を重ね合わせたときの最も内側のアダプタ構成部材３０４の内底面３３６よりも開口３１６，３１７寄りに充電端子３３０の先端が位置している。このため、細径コードレス診療用インスツルメントがアダプタ構成部材３０４，３０６，３０８の重ね合わせ体の最も内側のアダプタ構成部材３０４の収容孔３１０に収容されると、細径コードレス診療用インスツルメントの底面に充電端子３３０が接触してコイルバネ３３４が弱く圧縮され、収容孔３１０の内底面３３６に充電端子３３０の先端が位置する状態となる。中径コードレス診療用インスツルメントがアダプタ構成部材３０６，３０８の重ね合わせ体の最も内側のアダプタ構成部材３０６の収容孔３１２に収容されると、中径コードレス診療用インスツルメントの底面に充電端子３３０が接触してコイルバネ３３４がより強く圧縮され、収容孔３１２の内底面３３８に充電端子３３０の先端が位置する状態となる。太径コードレス診療用インスツルメントがアダプタ構成部材３０８の収容孔３１４に収容されると、太径コードレス診療用インスツルメントの底面に充電端子３３０が接触してコイルバネ３３４がさらに強く圧縮され、収容孔３１４の内底面３４０又はその近傍に充電端子３３０の先端が位置する状態となる。
【００８２】
アダプタ３０２（最も外側のアダプタ構成部材３０８）は、ホルダ本体１３０の収容孔１３４の空間形状に適合する外形形状を有すること、アダプタ３０２の外側面３１５と収容孔１３４の内側面１４０とは、摺動可能になっていること、コードレス診療用インスツルメントを診療用インスツルメントホルダ１２８から抜くときに加わる力に抗する摩擦力が収容孔１３４の内側面１４０とアダプタ３０２の外側面３１５（最も外側のアダプタ構成部材３０８の外側面３１５）との間に生じるようにするか、アダプタ３０２を着脱するとき以外は係止爪等によりアダプタ３０２をホルダ本体１３０に係止することは、第１実施形態のアダプタ１３２と同様である。
【００８３】
第３実施形態のアダプタ３０２により、複数のアダプタ構成部材３０４，３０６，３０８の重ね合わせを変更するだけで複数種類のコードレス診療用インスツルメントを保持させることができるので、診療用ユニット１０２の利便性が向上する。例えば、太径コードレス診療用インスツルメントを診療用インスツルメントホルダ１２８に保持させる場合は、アダプタ構成部材３０８のみをホルダ本体１３０に取り付け、中径診療用インスツルメントを診療用インスツルメントホルダ１２８に保持させる場合は、アダプタ構成部材３０６，３０８の重ね合わせ体をホルダ本体１３０に取り付け、細径診療用インスツルメントを診療用インスツルメントホルダ１２８に保持させる場合は、アダプタ構成部材３０４，３０６，３０８の重ね合わせ体をホルダ本体１３０に取り付ける。
【００８４】
図７は、コードレス診療用インスツルメントの３種類の外形形状の各々に適合する孔形状を有する収容孔が形成された３個のアダプタ構成部材３０４，３０６，３０８を入れ子状に重ね合わせた重ね合わせ体であるアダプタ３０２を示しているが、２種類又は４種類以上の外形形状の各々に適合する孔形状を有する収容孔が形成された２個又は４個以上のアダプタ構成部材を入れ子状に重ね合わせてもよい。
【００８５】
また、収容孔の内径だけでなく収容孔の深さもアダプタ構成部材の重ね合わせによって調整するようにしてもよい。また、第１実施形態と同様の識別回路１６０を本第３実施形態において適用する場合、各アダプタ構成部材にアダプタ識別のための情報源を設け、通信回路や読み取り回路等アダプタ構成部材間で情報をやり取りする構造を採用すればよい。
【００８６】
＜第４実施形態＞
第４実施形態は、第１実施形態の診療用インスツルメントホルダ１２８に代えて採用することができる診療用インスツルメントホルダ４０２に関する。図８は、診療用インスツルメントホルダ４０２の模式図である。図８は、診療用インスツルメントホルダ４０２の斜視図となっている。図８は、第１実施形態の図４に相当し、ホルダ本体４０４からアダプタ４０６を取り外した状態を示している。
【００８７】
｛診療用インスツルメントホルダ４０２｝
図８に示すように、診療用インスツルメントホルダ４０２は、チューブ接続診療用インスツルメントを保持するホルダ本体４０４と、コードレス診療用インスツルメントをホルダ本体４０４に保持させるためのアダプタ４０６とを備える。診療用インスツルメントホルダ４０２は、チューブ接続診療用インスツルメント及びコードレス診療用インスツルメントのホルダを兼ねる。診療用インスツルメントホルダ４０２は、ホルダ本体４０４にアダプタ４０６を取り付けた状態においては、コードレス診療用インスツルメントを保持し、ホルダ本体４０４からアダプタ４０６を取り外した状態においては、チューブ接続診療用インスツルメントを保持する。これにより、コードレス診療用インスツルメント専用の診療用インスツルメントホルダを設けることなくコードレス診療用インスツルメントを保持し充電することができるので、診療用ユニット１０２の構造が簡素になる。
【００８８】
｛ホルダ本体４０４｝
図８に示すように、ホルダ本体４０４は、チューブ接続診療用インスツルメントを収容する空間となる収容孔４０８が形成された収容空間形成体である。ただし、第１実施形態のホルダ本体１０４と異なり、第４実施形態のホルダ本体４０４には、給電機構は設けられていない。
【００８９】
ホルダ本体４０４には、ホルダ本体４０４をステー１２６に固定するネジが螺合されるネジ孔４１０が形成される。
【００９０】
｛アダプタ４０６｝
アダプタ４０６には、コードレス診療用インスツルメントを収容する空間となる収容孔４１２が形成されている。収容孔４１２は、コードレス診療用インスツルメントの外形形状に適合する孔形状（空間形状）を有する。これにより、アダプタ４０６は、コードレス診療用インスツルメントを充電位置に保持する。ここでいう「適合」は、コードレス診療用インスツルメントの外形形状（外径）と収容孔４１２の孔形状（内径）とが完全に同一であることを要求しない。したがって、コードレス診療用インスツルメントの外側面と収容孔４１２の内側面４１４との間には、コードレス診療用インスツルメントの挿抜を容易にするための隙間がある。この隙間は、収容孔４１２の中でコードレス診療用インスツルメントが動いてもコードレス診療用インスツルメントを充電が可能な充電位置に保持した状態が維持される程度の幅を有する。
【００９１】
ひとつの診療用インスツルメントホルダ１２８に外形形状が異なる複数のコードレス診療用インスツルメントを保持させる場合、コードレス診療用インスツルメントの外形形状ごとにアダプタ４０６が準備され、診療用インスツルメントホルダ１２８に保持させるコードレス診療用インスツルメントを変更するときにはアダプタ４０６が交換される。
【００９２】
収容孔４１２の内底面４１６には、充電位置に保持されたコードレス診療用インスツルメントを充電する電力（以下では、「充電電力」という）を供給する供給経路となる充電端子４１８が設けられる。なお、収容孔４１２の内底面４１６以外、例えば、収容孔４１２の内側面４１４に充電端子４１８を設けてもよい。充電端子４１８を備える有接点の給電機構４２０ではなく、無接点の給電機構を採用してもよい。無接点の給電機構を採用する場合、コイル等の電磁結合用の部品がアダプタ４０６に埋め込まれる。
【００９３】
アダプタ４０６は、さらに、ユニット本体１０４から充電端子４１８へ充電電力を伝送する給電配線を内蔵し給電機構４２０を構成する給電用チューブ４２６を備える。給電用チューブ４２６の一端にはコネクタ４２８が設けられ、給電用チューブ４２６は、チューブ接続診療用インスツルメントとユニット本体１０４とを接続するチューブと同様にユニット本体１０４の本体側接続部１２０に着脱される。給電用チューブ４２６の他端において、給電用チューブ４２６に内蔵された給電配線は、充電端子４１８に接続される。これにより、給電機構４２０は、給電用チューブ４２６を経由してユニット本体１０４から電力の供給を受け、充電位置に保持されたコードレス診療用インスツルメントを充電する電力を供給する。
【００９４】
アダプタ４０６がホルダ本体４０４の収容孔４０８の空間形状に適合する外形形状を有し収容孔４０８に収容されること、アダプタ４０６の外側面４２４と収容孔４０８の内側面４２２とは、摺動可能になっていること、コードレス診療用インスツルメントを診療用インスツルメントホルダ１２８から抜くときに加わる力に抗する摩擦力がアダプタ４０６の外側面４２４と収容孔４０８の内側面４２２との間に生じるようにするか、アダプタ４０６を着脱するとき以外は係止爪等によりアダプタ４０６をホルダ本体４０４に係止することは、第１実施形態のアダプタ１３２と同様である。
【００９５】
＜第５実施形態＞
第５実施形態は、第１実施形態の診療用ユニット１０２に充電の完了までの残り時間を検出し表示する機能（以下では、「残り時間表示機能」という）を付加するための構成物に関する。図９及び図１０は、残り時間表示機能を付加するために追加される構成物を説明する図である。図９は、ホルダ本体５０２の模式図である。図９は、ホルダ本体５０２の斜視図となっている。図１０は、残り時間表示機能を付加するために追加される構成物のブロック図である。
【００９６】
図９に示すように、ホルダ本体５０２には、液晶ディスプレイ、有機ＥＬディスプレイ等の表示機構５０４が設けられる。また、図１０に示すように、残り時間表示機能を付加するために追加される構成物には、コードレス診療用インスツルメントの充電の完了までの残り時間を検出し、検出した残り時間を表示機構５０４に表示させる残り時間検出回路５０６がある。これにより、充電の完了までの残り時間を容易に知ることができるので、診療用ユニット１０２の利便性が向上する。
【００９７】
なお、表示機構５０４をホルダ本体５０２に設けることは必ずしも必須ではなく、他の場所、例えば、トレーの診療用インスツルメントホルダの近傍に設けてもよい。また、表示機構５０４は、発光ダイオード等のランプの色や明るさの変化、点灯個数等により残り時間を表示してもよい。
【００９８】
＜その他＞
この発明は詳細に説明されたが、上記の説明は、すべての局面において例示であって、この発明はその例示に限定されない。例示されていない無数の変形例が、この発明の範囲から外れることなく想定され得る。特に、第１実施形態から第５実施形態までに説明した技術を組み合わせることは当然に予定されている。
【符号の説明】
【００９９】
１０２  診療用ユニット
１１０  診療用トレー
１０６  診療用インスツルメント
１３０，４０４  ホルダ本体
１３２，２０２，３０２，４０６  アダプタ
１３４，１４４，２０８  収容孔
１３８  充電端子
２０４，２０６  コードレス診療用インスツルメント
３０４，３０６，３０８  アダプタ構成部材
【図１】
2010200999.tif 000003
【図２】
2010200999.tif 000004
【図３】
2010200999.tif 000005
【図４】
2010200999.tif 000006
【図５】
2010200999.tif 000007
【図６】
2010200999.tif 000008
【図７】
2010200999.tif 000009
【図８】
2010200999.tif 000010
【図９】
2010200999.tif 000011
【図１０】
2010200999.tif 000012